(57)【要約】【課題】  床暖房マットにおいて、チューブの内孔を流通する温水の熱効率を向上させて室内の暖房がより効果的に行われるようにし、また、この目的が簡単な構成で達成されるようにする。【解決手段】  床暖房マット１０は、建物１の床４上に敷設可能とされ、その上面に沿って形成された溝１１を有する発泡樹脂製のマット本体１２と、溝１１に嵌入されてその内孔を温水２２が流通可能なチューブ１３とを備える。溝１１の内面２６とチューブ１３の外周面２７とのうち、それぞれ下部側の間に空気層２８，４０を形成する。【選択図】    図１
2005283034.tif 000002
【特許請求の範囲】
【請求項１】
建物の床上に敷設可能とされ、その上面に沿って形成された溝を有する発泡樹脂製のマット本体と、上記溝に嵌入されてその内孔を温水が流通可能なチューブとを備える床暖房マットにおいて、
上記溝の内面とチューブの外周面とのうち、それぞれ下部側の間に空気層を形成したことを特徴とする床暖房マット。
【請求項２】
上記溝の内面の下部側に突設されてその突出端部に上記チューブの外周面を当接させる突起を備えたことを特徴とする請求項１に記載の床暖房マット。
【請求項３】
建物の床上に敷設可能とされ、その上面に沿って形成された溝を有する発泡樹脂製のマット本体と、上記溝に嵌入されてその内孔を温水が流通可能なチューブと、上記マット本体の上面に貼り付けられて上記チューブの上面と接合する熱伝導用フィルムとを備えた床暖房マットにおいて、
上記溝の幅方向の外方における上記マット本体の部分の上面と、この上面に対面する上記フィルムの部分との間に空気層を形成したことを特徴とする床暖房マット。
【請求項４】
上記マット本体の部分の上面に突設されてその突出端部に上記フィルムの部分を当接させる突起を備えたことを特徴とする請求項３に記載の床暖房マット。
【請求項５】
上記溝の内面とチューブの外周面とのうち、それぞれ下部側の間に空気層を形成したことを特徴とする請求項３に記載の床暖房マット。
【発明の詳細な説明】
【技術分野】
【０００１】
本発明は、建物の床上に敷設可能とされるマット本体と、このマット本体に取り付けられて温水を流動可能とさせるチューブとを備えた床暖房マットに関するものである。
【背景技術】
【０００２】
上記床暖房マットには、従来、下記特許文献１に示されたものがある。この公報のものによれば、上記床暖房マットは、建物の床上に敷設可能とされ、その上面に沿って形成された溝を有する発泡樹脂製のマット本体と、上記溝に嵌入されてその内孔を温水が流通可能なチューブとを備えている。上記マット本体の上面には絨毯や木製のフローリングなどの床表面材が敷設されている。また、上記チューブの両端部はそれぞれ水を加熱する熱源器に連結されている。
【０００３】
そして、上記熱源器から供給される高温（４０―８０℃）の温水が、上記チューブでの両端部のうち、一方の端部に供給され、この端部から他方の端部に向けて上記チューブ内を流動させられる。すると、このチューブでの温水の流動中に、この温水の熱が上記床表面材との間で熱交換させられて、この床表面材が暖められ、もって、室内の暖房が可能とされている。
【０００４】
【特許文献１】特開平８−１１００６０号公報
【発明の開示】
【発明が解決しようとする課題】
【０００５】
ところで、上記従来の技術では、溝の内面とチューブの外周面とのうち、それぞれ下部側は全体的に面接触しており、このため、上記温水の熱の一部は、上記チューブの下部側から上記溝を形成しているマット本体の部分と、このマット本体を敷設させている床とに対し、順次、容易に熱伝導して、無用な放熱が生じがちとなり、これは、上記温水の熱効率を低下させるものであって好ましくない。
【課題を解決するための手段】
【０００６】
本発明は、上記のような事情に注目してなされたもので、本発明の目的は、床暖房マットにおいて、チューブの内孔を流通する温水の熱効率を向上させて室内の暖房がより効果的に行われるようにし、また、この目的が簡単な構成で達成されるようにすることである。
【０００７】
請求項１の発明は、建物１の床４上に敷設可能とされ、その上面に沿って形成された溝１１を有する発泡樹脂製のマット本体１２と、上記溝１１に嵌入されてその内孔を温水２２が流通可能なチューブ１３とを備える床暖房マットにおいて、
上記溝１１の内面２６とチューブ１３の外周面２７とのうち、それぞれ下部側の間に空気層２８，４０を形成したものである。
【０００８】
請求項２の発明は、請求項１の発明に加えて、上記溝１１の内面２６の下部側に突設されてその突出端部に上記チューブ１３の外周面２７を当接させる突起３０，３１を備えたものである。
【０００９】
請求項３の発明は、建物１の床４上に敷設可能とされ、その上面に沿って形成された溝１１を有する発泡樹脂製のマット本体１２と、上記溝１１に嵌入されてその内孔を温水２２が流通可能なチューブ１３と、上記マット本体１２の上面に貼り付けられて上記チューブ１３の上面と接合する熱伝導用フィルム１４とを備えた床暖房マットにおいて、
上記溝１１の幅方向の外方における上記マット本体１２の部分の上面と、この上面に対面する上記フィルム１４の部分との間に空気層３３を形成したものである。
【００１０】
請求項４の発明は、請求項３の発明に加えて、上記マット本体１２の部分の上面に突設されてその突出端部に上記フィルム１４の部分を当接させる突起３４を備えたものである。
【００１１】
請求項５の発明は、請求項３の発明に加えて、上記溝１１の内面２６とチューブ１３の外周面２７とのうち、それぞれ下部側の間に空気層２８，４０を形成したものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、建物の床上に敷設可能とされ、その上面に沿って形成された溝を有する発泡樹脂製のマット本体と、上記溝に嵌入されてその内孔を温水が流通可能なチューブとを備える床暖房マットにおいて、
上記溝の内面とチューブの外周面とのうち、それぞれ下部側の間に空気層を形成している。
【００１５】
このため、上記温水の熱の一部が、上記チューブの下部側から上記溝を形成しているマット本体の部分と、このマット本体を敷設させている床とに対し、順次伝導しようとすることは、上記空気層によって抑制される。よって、上記温水の熱効率が向上して床暖房マットによる暖房がより効果的に行われる。
【００１６】
請求項２の発明は、上記溝の内面の下部側に突設されてその突出端部に上記チューブの外周面を当接させる突起を備えている。
【００１７】
このため、上記空気層は、上記突起同士の間やこの突起の側方に隣接して形成されることとなる。そして、この突起は上記マット本体に突設されるものであって、構成が簡単であり、よって、上記した床暖房マットによる効果的な暖房は簡単な構成により達成される。
【００１８】
請求項３の発明は、建物の床上に敷設可能とされ、その上面に沿って形成された溝を有する発泡樹脂製のマット本体と、上記溝に嵌入されてその内孔を温水が流通可能なチューブと、上記マット本体の上面に貼り付けられて上記チューブの上面と接合する熱伝導用フィルムとを備えた床暖房マットにおいて、
上記溝の幅方向の外方における上記マット本体の部分の上面と、この上面に対面する上記フィルムの部分との間に空気層を形成している。
【００１９】
このため、上記温水から、一旦、上記フィルムに伝導された熱の一部が、上記マット本体と、このマット本体を敷設させている床４とに対し、順次伝導しようとすることは、上記空気層によって抑制される。よって、上記温水の熱効率が向上して床暖房マットによる暖房がより効果的に行われる。
【００２０】
請求項４の発明は、上記マット本体の部分の上面に突設されてその突出端部に上記フィルムの部分を当接させる突起を備えている。
【００２１】
このため、上記空気層は、上記突起同士の間やこの突起の側方に隣接して形成されることとなる。そして、この突起は上記マット本体に突設されるものであって、構成が簡単であり、よって、上記した床暖房マットによる効果的な暖房は簡単な構成により達成される。
【００２２】
請求項５の発明は、上記溝の内面とチューブの外周面とのうち、それぞれ下部側の間に空気層を形成している。
【００２３】
このため、上記各請求項１，３の効果が生じる。
【発明を実施するための最良の形態】
【００２４】
本発明の床暖房マットに関し、床暖房マットにおいて、チューブの内孔を流通する温水の熱効率を向上させて室内の暖房がより効果的に行われるようにし、また、この目的が簡単な構成で達成されるようにする、という目的を実現するため、本発明を実施するための最良の形態は、次の如くである。
【００２５】
即ち、床暖房マットが、建物の床上に敷設可能とされ、その上面に沿って形成された溝を有する発泡樹脂製の断熱性マット本体と、上記溝に嵌入されてその内孔を温水が流通可能なチューブとを備える。
【００２６】
上記溝の内面とチューブの外周面とのうち、それぞれ下部側の間に空気層が形成される。
【実施例１】
【００２７】
本発明をより詳細に説明するために、その実施例１を添付の図１―４に従って説明する。
【００２８】
図において、符号１は建物で、この建物１は、地面２上に設置された基礎３と、この基礎３上に設置された床４と、この床４上に設定される壁５とを備え、上記床４の下方が床下空間６とされ、上記床４の上方が室内７とされている。
【００２９】
上記室内７を暖房するための床暖房装置９が設けられている。この床暖房装置９は床暖房マット１０を有し、この床暖房マット１０は、上記建物１の床４の上面に沿って敷設可能とされ、その上面に沿って屈曲するよう形成された断面Ｕ字形状の溝１１を有する断熱性マット本体１２と、上記溝１１に対し屈曲されながら嵌入されて上記マット本体１２に取り付けられる樹脂製のチューブ１３と、上記マット本体１２の上面に貼り付けられて上記チューブ１３の上面と接合するアルミニウム製の熱伝導用フィルム１４とを備え、上記マット本体１２は発泡樹脂である発泡ポリスチレン製であり、また、平面視で矩形状をなす平板形状とされている。
【００３０】
上記床暖房装置９は、上記マット本体１２の上面側に敷設される絨毯や木製のフローリングなどの床表面材１５を備え、上記フィルム１４は、上記溝１１からのチューブ１３の離脱を防止すると共に、上記チューブ１３内の温水２２の熱を上記床表面材１５側に、より均一に分散させて熱伝導させるように働く。また、上記チューブ１３の各端部１６，１７に対し、それぞれジョイント１８と、他のチューブ２０，２１とを介し屋外の給湯器である熱源器１９が連結されている。
【００３１】
上記床暖房装置９により、室内７の暖房をする場合には、上記熱源器１９から、上記ジョイント１８と他のチューブ２０とを介し上記チューブ１３の両端部１６，１７のうち、一方の端部１６に高温の温水２２を供給する。すると、この温水２２は、上記端部１６から他方の端部１７に向けてチューブ１３内を流動し、この温水２２の流動中に、この温水２２の熱が上記チューブ１３とフィルム１４とを通し、上記床表面材１５側に、より均一に分散されて熱伝導され、つまり、上記温水２２の熱が上記床表面材１５との間で熱交換され、これにより、上記室内７の暖房が可能とされる。
【００３２】
また、上記他方の端部１７に達した温水２２は、この端部１７に連結されたジョイント１８と他のチューブ２１とを通し上記熱源器１９に戻され、ここで、再び加熱されて、上記したのと同様にジョイント１８と他のチューブ２０を通し上記チューブ１３の一方の端部１６に供給される。以下、上記のように温水２２が循環させられて、室内７の暖房が続けられる。
【００３３】
図３，４において、上記溝１１の内面２６と外周面２７とのうち、それぞれ下部側の間に空気層２８が形成されている。これをより具体的に説明すると、上記溝１１の幅寸法Ｗは、上記チューブ１３の外径寸法Ｄよりも大きくされており、上記溝１１の長手方向に沿った視線でみて（図３）、上記溝１１の内面２６の下部側には左右一対の突起３０，３０が一体的に突設され、また、これら両突起３０，３０の間で、上記内面２６のうちの最下面にも他の突起３１が一体的に突設されている。上記各突起３０，３１は、上記溝１１の長手方向で所定間隔をあけて複数設けられ、上記各突起３０，３１の各突出端部に上記チューブ１３の外周面２７の下部側が圧接状に当接させられて、このチューブ１３は上記各突起３０，３１に支持されている。そして、上記各突起３０，３１同士の間であって、上記各突起３０，３１の側方に隣接したところが上記空気層２８とされている。
【００３４】
なお、上記突起３０は、上記溝１１の長手方向に連続的に設けてもよく、また、上記他の突起３１も、図４中二点鎖線で示すように上記溝１１の長手方向で連続的に設けてもよい。また、上記各突起３０，３１を、上記溝１１の長手方向で所定間隔をあけて複数設け、これら各突起３０，３１を溝１１の幅方向で互いに一体成形してもよい。
【００３５】
図３，４において、上記溝１１の幅方向の外方における上記マット本体１２の部分の上面と、この上面に対面する上記フィルム１４の部分との間に空気層３３が形成されている。これをより具体的に説明すると、上記マット本体１２の部分のほぼ全体にわたり、上記溝１１に沿って延びる複数の突条体である突起３４が一体的に突設されている。これら各突起３４は、上記溝１１の幅方向で、所定間隔をあけて設けられ、上記各突起３４の各突出端部に上記フィルム１４の部分が当接させられて、このフィルム１４は上記チューブ１３の上面と各突起３４とにより支持されている。そして、上記各突起３４同士の間であって、上記各突起３４の側方に隣接したところが上記空気層３３とされている。
【００３６】
なお、上記各突起３４は、上記溝１１の幅方向に延びるよう形成してもよく、点在するよう不連続に形成してもよい。
【００３７】
上記構成によれば、建物１の床４上に敷設可能とされ、その上面に沿って形成された溝１１を有する発泡樹脂製のマット本体１２と、上記溝１１に嵌入されてその内孔を温水２２が流通可能なチューブ１３とを備える床暖房マットにおいて、
上記溝１１の内面２６とチューブ１３の外周面２７とのうち、それぞれ下部側の間に空気層２８，４０を形成している。
【００３８】
このため、上記温水２２の熱の一部が、上記チューブ１３の下部側から上記溝１１を形成しているマット本体１２の部分と、このマット本体１２を敷設させている床４とに対し、順次伝導しようとすることは、上記空気層２８によって抑制される。よって、上記温水２２の熱効率が向上して床暖房マット１０による暖房がより効果的に行われる。
【００３９】
また、前記したように、上記溝１１の内面２６の下部側に突設されてその突出端部に上記チューブ１３の外周面２７を当接させる突起３０，３１を備えている。
【００４０】
このため、上記空気層２８は、上記した複数の各突起３０，３１同士の間やこれら各突起３０，３１の側方に隣接して形成されることとなる。そして、これら各突起３０，３１は上記マット本体１２に一体的に突設されるものであって、構成が簡単であり、よって、上記した床暖房マット１０による効果的な暖房は簡単な構成により達成される。
【００４１】
また、前記したように、建物１の床４上に敷設可能とされ、その上面に沿って形成された溝１１を有する発泡樹脂製のマット本体１２と、上記溝１１に嵌入されてその内孔を温水２２が流通可能なチューブ１３と、上記マット本体１２の上面に貼り付けられて上記チューブ１３の上面と接合する熱伝導用フィルム１４とを備えた床暖房マットにおいて、
上記溝１１の幅方向の外方における上記マット本体１２の部分の上面と、この上面に対面する上記フィルム１４の部分との間に空気層３３を形成している。
【００４２】
このため、上記温水２２から、一旦、上記フィルム１４に伝導された熱の一部が、上記マット本体１２と、このマット本体１２を敷設させている床４とに対し、順次伝導しようとすることは、上記空気層３３によって抑制される。よって、上記温水２２の熱効率が向上して床暖房マット１０による暖房がより効果的に行われる。
【００４３】
また、前記したように、マット本体１２の部分の上面に突設されてその突出端部に上記フィルム１４の部分を当接させる突起３４を備えている。
【００４４】
このため、上記空気層３３は、上記各突起３４同士の間やこれら各突起３４の側方に隣接して形成されることとなる。そして、これら各突起３４は上記マット本体１２に一体的に突設されるものであって、構成が簡単であり、よって、上記した床暖房マット１０による効果的な暖房は簡単な構成により達成される。
【００４５】
なお、以上は図示の例によるが、上記各突起３０，３１，３４の突出端部は円弧面であってもよい。
【００４６】
以下の図５，６は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００４７】
本発明をより詳細に説明するために、その実施例２を添付の図５に従って説明する。
【００４８】
図５において、上記溝１１の幅寸法Ｗとチューブ１３の外径寸法Ｄとは互いにほぼ同じとされ、実施例１で示した突起３０，３１のうち、突起３１のみが設けられている。これによれば、溝１１の成形が、より容易になると共に、床暖房マット１０による効果的な暖房は、より簡単な構成で達成される。
【実施例３】
【００４９】
本発明をより詳細に説明するために、その実施例３を添付の図６に従って説明する。
【００５０】
図６において、上記溝１１の内面２６の下部側は、上方に向かって開くコの字形状（チャンネル形状）とされ、上記内面２６の各側面と、底面における幅方向の中央部である一部分３９のみとが上記チューブ１３の外周面２７に当接させられ、上記溝１１の下部側の両側部に空気層４０が形成されている。
【図面の簡単な説明】
【００５１】
【図１】実施例１を示し、建物と床暖房マットの全体側面断面図である。
【図２】実施例１を示し、床暖房マットの平面図である。
【図３】実施例１を示し、図２の３‐３線矢視断面拡大図である。
【図４】実施例１を示し、図３で示したものの部分平面図である。
【図５】実施例２を示し、図３に相当する図である。
【図６】実施例３を示し、図３に相当する図である。
【符号の説明】
【００５２】
１    建物
４    床
６    床下空間
７    室内
９    床暖房装置
１０  床暖房マット
１１  溝
１２  マット本体
１３  チューブ
１４  フィルム
１５  床表面材
１６  端部
１７  端部
１９  熱源器
２２  温水
２６  内面
２７  外周面
２８  空気層
３０  突起
３１  突起
３３  空気層
３４  突起
３９  一部分
４０  空気層
Ｗ    幅寸法
Ｄ    外径寸法
【図１】
2005283034.tif 000003
【図２】
2005283034.tif 000004
【図３】
2005283034.tif 000005
【図４】
2005283034.tif 000006
【図５】
2005283034.tif 000007
【図６】
2005283034.tif 000008